(57)【要約】【構成】スマートフォンＣＰＵ６０は、アドホックに接続された複数のディジタルカメラの各々からのライブ画像データを通信Ｉ／Ｆ６４を通して受信し、受信されたライブ画像データに基づく複数のライブ画像をＬＣＤモニタ７２に表示する。スマートフォンＣＰＵ６０はまた、通信Ｉ／Ｆ６４によって受信される電波の強度をディジタルカメラ毎に測定し、ＬＣＤモニタ７２に表示される複数のライブ画像の配置を測定された強度に基づいて制御する。【効果】ライブ画像の表示性能が向上する。【選択図】図３
2013093842.tif 000002
【特許請求の範囲】
【請求項１】
複数の電子カメラからそれぞれ出力された複数の画像信号を受信する受信手段、
前記受信手段によって受信された複数の画像信号にそれぞれ対応する複数の画像を画面
に表示する表示手段、
前記受信手段によって受信される信号の強度を前記複数の電子カメラの各々に対応して
測定する測定手段、および
前記表示手段によって表示される複数の画像の配置を前記測定手段によって測定された
強度に基づいて制御する制御手段を備える、電子機器。
【請求項２】
前記複数の電子カメラの各々は前記電子画像を繰り返し出力し、
前記測定手段は前記強度を繰り返し測定する、請求項１記載の電子機器。
【請求項３】
前記測定手段によって測定された強度が基準を下回る電子カメラを検出する検出手段、
および
前記検出手段によって検出された電子カメラから出力された画像信号の受信の制限を前
記受信手段に設定する設定手段をさらに備える、請求項１または２記載の電子機器。
【請求項４】
電子機器のプロセッサに、
複数の電子カメラからそれぞれ出力された複数の画像信号を受信する受信ステップ、
前記受信ステップによって受信された複数の画像信号にそれぞれ対応する複数の画像を
画面に表示する表示ステップ、
前記受信ステップによって受信される信号の強度を前記複数の電子カメラの各々に対応
して測定する測定ステップ、および
前記表示ステップによって表示される複数の画像の配置を前記測定ステップによって測
定された強度に基づいて制御する制御ステップを実行させるための、受信制御プログラム
。
【請求項５】
電子機器のプロセッサによって実行される受信制御方法であって、
複数の電子カメラからそれぞれ出力された複数の画像信号を受信する受信ステップ、
前記受信ステップによって受信された複数の画像信号にそれぞれ対応する複数の画像を
画面に表示する表示ステップ、
前記受信ステップによって受信される信号の強度を前記複数の電子カメラの各々に対応
して測定する測定ステップ、および
前記表示ステップによって表示される複数の画像の配置を前記測定ステップによって測
定された強度に基づいて制御する制御ステップを備える、受信制御方法。
【請求項６】
撮像面で捉えられた光学像に対応する電子画像を出力する撮像手段、
複数の表示装置と無線で接続する接続手段、
前記接続手段によって接続された複数の表示装置の各々の性能を検出する検出手段、
前記撮像手段から出力された電子画像の品質を前記検出手段の検出結果に応じて異なる
単一の品質に調整する調整手段、および
前記調整手段によって調整された品質を有する電子画像を前記接続手段によって接続さ
れた複数の表示装置に転送する転送手段を備える、電子カメラ。
【請求項７】
前記接続手段の接続状態が変化する毎に前記検出手段を起動する起動手段をさらに備え
る、請求項６記載の電子カメラ。
【請求項８】
前記調整手段によって調整される品質は前記検出手段によって検出された性能のうち最
低の性能に対応する、請求項６または７記載の電子カメラ。
【請求項９】
前記転送手段はブロードキャスト方式で前記電子画像を転送する、請求項６ないし８の
いずれかに記載の電子カメラ。
【請求項１０】
撮像面で捉えられた光学像に対応する電子画像を出力する撮像手段を備える電子カメラ
のプロセッサに、
複数の表示装置と無線で接続する接続ステップ、
前記接続手段によって接続された複数の表示装置の各々の性能を検出する検出ステップ
、
前記撮像手段から出力された電子画像の品質を前記検出ステップの検出結果に応じて異
なる単一の品質に調整する調整ステップ、および
前記調整ステップによって調整された品質を有する電子画像を前記接続ステップによっ
て接続された複数の表示装置に転送する転送ステップを実行させるための、画像転送プロ
グラム。
【請求項１１】
撮像面で捉えられた光学像に対応する電子画像を出力する撮像手段を備える電子カメラ
によって実行される画像転送方法であって、
複数の表示装置と無線で接続する接続ステップ、
前記接続手段によって接続された複数の表示装置の各々の性能を検出する検出ステップ
、
前記撮像手段から出力された電子画像の品質を前記検出ステップの検出結果に応じて異
なる単一の品質に調整する調整ステップ、および
前記調整ステップによって調整された品質を有する電子画像を前記接続ステップによっ
て接続された複数の表示装置に転送する転送ステップを備える、画像転送方法。
【発明の詳細な説明】
【技術分野】
【０００１】
この発明は、電子機器に関し、特に、電子カメラから出力された画像信号に基づく画像
を画面に表示する、電子機器に関する。
【０００２】
この発明はまた、電子カメラに関し、特に、撮像面で捉えられた光学像に対応する電子
画像を無線で接続された表示装置に転送する、電子カメラに関する。
【背景技術】
【０００３】
この種の電子機器ないし電子カメラの一例が、特許文献１に開示されている。この背景
技術によれば、単一の撮影カメラ端末は１または２以上の操作・確認端末の各々と無線イ
ンタフェースによって接続される。撮影カメラ端末はカメラ部から得られたスルー画像デ
ータを操作・確認端末へ送信し、操作・確認端末は撮影カメラ端末から受信したスルー画
像データに基づく画像を表示部に表示する。操作・確認端末が操作されると、操作情報が
操作・確認端末から撮影カメラ端末に送信される。撮影カメラ端末は、操作・確認端末か
ら受信した操作情報に従ってカメラ部を制御する。これによって、撮影対象が意図した状
態になっていることを確認して撮影を行うことができる。
【先行技術文献】
【特許文献】
【０００４】
【特許文献１】特開２００８−１９９４６０号公報
【発明の概要】
【発明が解決しようとする課題】
【０００５】
しかし、背景技術は、複数の撮影カメラ端末からそれぞれ出力された複数のスルー画像
を単一の操作・確認端末に表示することを想定しておらず、画像表示性能に限界がある。
背景技術はまた、撮影カメラ端末を互いに異なる性能を有する複数の操作・確認端末と接
続することを想定しておらず、画像転送性能に限界がある。
【０００６】
それゆえに、この発明の主たる目的は、画像表示性能を高めることができる、電子機器
を提供することである。
【０００７】
この発明の他の目的は、画像転送性能を高めることができる、電子カメラを提供するこ
とである。
【課題を解決するための手段】
【０００８】
この発明に従う電子機器(50：実施例で相当する参照符号。以下同じ)は、複数の電子カ
メラ(10, 10, …)からそれぞれ出力された複数の画像信号を受信する受信手段(S173)、受
信手段によって受信された複数の画像信号にそれぞれ対応する複数の画像を画面に表示す
る表示手段(S193)、受信手段によって受信される信号の強度を複数の電子カメラの各々に
対応して測定する測定手段(S175)、および表示手段によって表示される複数の画像の配置
を測定手段によって測定された強度に基づいて制御する制御手段(S177)を備える。
【０００９】
好ましくは、複数の電子カメラの各々は電子画像を繰り返し出力し、測定手段は強度を
繰り返し測定する。
【００１０】
好ましくは、測定手段によって測定された強度が基準を下回る電子カメラを検出する検
出手段(S181)、および検出手段によって検出された電子カメラから出力された画像信号の
受信の制限を受信手段に設定する設定手段(S183)がさらに備えられる。
【００１１】
この発明に従う受信制御プログラムは、電子機器(50)のプロセッサ(60)に、複数の電子
カメラ(10, 10, …)からそれぞれ出力された複数の画像信号を受信する受信ステップ(S17
3)、受信ステップによって受信された複数の画像信号にそれぞれ対応する複数の画像を画
面に表示する表示ステップ(S193)、受信ステップによって受信される信号の強度を複数の
電子カメラの各々に対応して測定する測定ステップ(S175)、および表示ステップによって
表示される複数の画像の配置を測定ステップによって測定された強度に基づいて制御する
制御ステップ(S177)を実行させるための、受信制御プログラムである。
【００１２】
この発明に従う受信制御方法は、電子機器(50)のプロセッサ(60)によって実行される受
信制御方法であって、複数の電子カメラ(10, 10, …)からそれぞれ出力された複数の画像
信号を受信する受信ステップ(S173)、受信ステップによって受信された複数の画像信号に
それぞれ対応する複数の画像を画面に表示する表示ステップ(S193)、受信ステップによっ
て受信される信号の強度を複数の電子カメラの各々に対応して測定する測定ステップ(S17
5)、および表示ステップによって表示される複数の画像の配置を測定ステップによって測
定された強度に基づいて制御する制御ステップ(S177)を備える。
【００１３】
この発明に従う電子カメラ(10)は、撮像面で捉えられた光学像に対応する電子画像を出
力する撮像手段(18)、複数の表示装置(50)と無線で接続する接続手段(S51~S57)、接続手
段によって接続された複数の表示装置の各々の性能を検出する検出手段(S59)、撮像手段
から出力された電子画像の品質を検出手段の検出結果に応じて異なる単一の品質に調整す
る調整手段(S85~S87)、および調整手段によって調整された品質を有する電子画像を接続
手段によって接続された複数の表示装置に転送する転送手段(S83)を備える。
【００１４】
好ましくは、接続手段の接続状態が変化する毎に検出手段を起動する起動手段(S89~S91
)がさらに備えられる。
【００１５】
好ましくは、調整手段によって調整される品質は検出手段によって検出された性能のう
ち最低の性能に対応する。
【００１６】
好ましくは、転送手段はブロードキャスト方式で電子画像を転送する。
【００１７】
この発明に従う画像転送プログラムは、撮像面で捉えられた光学像に対応する電子画像
を出力する撮像手段(18)を備える電子カメラ(10)のプロセッサ(32)に、複数の表示装置(5
0)と無線で接続する接続ステップ(S51~S57)、接続手段によって接続された複数の表示装
置の各々の性能を検出する検出ステップ(S59)、撮像手段から出力された電子画像の品質
を検出ステップの検出結果に応じて異なる単一の品質に調整する調整ステップ(S85~S87)
、および調整ステップによって調整された品質を有する電子画像を接続ステップによって
接続された複数の表示装置に転送する転送ステップ(S83)を実行させるための、画像転送
プログラムである。
【００１８】
この発明に従う画像転送方法は、撮像面で捉えられた光学像に対応する電子画像を出力
する撮像手段(18)を備える電子カメラ(10)によって実行される画像転送方法であって、複
数の表示装置(50)と無線で接続する接続ステップ(S51~S57)、接続手段によって接続され
た複数の表示装置の各々の性能を検出する検出ステップ(S59)、撮像手段から出力された
電子画像の品質を検出ステップの検出結果に応じて異なる単一の品質に調整する調整ステ
ップ(S85~S87)、および調整ステップによって調整された品質を有する電子画像を接続ス
テップによって接続された複数の表示装置に転送する転送ステップ(S83)を備える。
【発明の効果】
【００１９】
この発明によれば、複数の電子カメラから出力された複数の画像信号は受信手段によっ
て受信され、受信された複数の画像信号にそれぞれ対応する複数の画像の配置は受信手段
によって受信される信号の強度に基づいて制御される。これによって、画像表示性能の向
上が図られる。
【００２０】
この発明によれば、複数の表示装置に転送される電子画像の品質は、複数の表示装置の
各々の性能に応じて異なる単一の品質に調整される。これによって、電子画像の転送に掛
かる負荷を適応的に調整することができ、画像転送性能の向上が図られる。
【００２１】
この発明の上述の目的，その他の目的，特徴および利点は、図面を参照して行う以下の
実施例の詳細な説明から一層明らかとなろう。
【図面の簡単な説明】
【００２２】
【図１】この実施例のカメラシステムを形成するディジタルカメラの構成の一例を示すブロック図である。
【図２】この実施例のカメラシステムを形成するディジタルカメラの構成の他の一例を示すブロック図である。
【図３】この実施例のカメラシステムを形成するスマートフォンの構成の一例を示すブロック図である。
【図４】図１または図２に示すディジタルカメラと図３に示すスマートフォンとの接続態様の一例を示す図解図である。
【図５】図１または図２に示すディジタルカメラに適用されるレジスタの構成の一例を示す図解図である。
【図６】（Ａ）は図３に示すスマートフォンに適用される探索レジスタの構成の一例を示す図解図であり、（Ｂ）は図３に示すスマートフォンに適用される接続レジスタの構成の一例を示す図解図である。
【図７】ディジタルカメラに設けられたレジスタの登録状態の一例を示す図解図である。
【図８】（Ａ）はスマートフォンに設けられた接続レジスタＲＧＳＴｃの登録状態の一例を示す図解図であり、（Ｂ）はスマートフォンに設けられたＬＣＤモニタの表示状態の一例を示す図解図である。
【図９】（Ａ）はスマートフォンに設けられた接続レジスタＲＧＳＴｃの登録状態の他の一例を示す図解図であり、（Ｂ）はスマートフォンに設けられたＬＣＤモニタの表示状態の他の一例を示す図解図である。
【図１０】（Ａ）はスマートフォンに設けられた接続レジスタＲＧＳＴｃの登録状態のその他の一例を示す図解図であり、（Ｂ）はスマートフォンに設けられたＬＣＤモニタの表示状態のその他の一例を示す図解図である。
【図１１】図１または図２に示すカメラＣＰＵの動作の一部を示すフロー図である。
【図１２】図１または図２に示すカメラＣＰＵの動作の他の一部を示すフロー図である。
【図１３】図１または図２に示すカメラＣＰＵの動作のその他の一部を示すフロー図である。
【図１４】図１または図２に示すカメラＣＰＵの動作のさらにその他の一部を示すフロー図である。
【図１５】図１または図２に示すカメラＣＰＵの動作の他の一部を示すフロー図である。
【図１６】図１または図２に示すカメラＣＰＵの動作のその他の一部を示すフロー図である。
【図１７】図１または図２に示すカメラＣＰＵの動作のさらにその他の一部を示すフロー図である。
【図１８】図３に示すスマートフォンＣＰＵの動作の一部を示すフロー図である。
【図１９】図３に示すスマートフォンＣＰＵの動作の他の一部を示すフロー図である。
【図２０】図３に示すスマートフォンＣＰＵの動作のその他の一部を示すフロー図である。
【図２１】図３に示すスマートフォンＣＰＵの動作のさらにその他の一部を示すフロー図である。
【図２２】図３に示すスマートフォンＣＰＵの動作の他の一部を示すフロー図である。
【図２３】図３に示すスマートフォンＣＰＵの動作のその一部を示すフロー図である。
【発明を実施するための形態】
【００２３】
この実施例のカメラシステムは、各々が図１または図２に示すように構成された１また
は２以上のディジタルカメラ１０と、各々が図３に示すように構成された１または２以上
のスマートフォン５０とによって形成される。ディジタルカメラ１０およびスマートフォ
ン５０のいずれも、ＡｄＨｏｃ方式またはＷｉ−ＦｉＤｉｒｅｃｔ方式に従う近距離無線
通信機能を有する。なお、近距離無線通信は、図１または図２に示す通信Ｉ／Ｆ４２およ
び図３に示す通信Ｉ／Ｆ６４によって実行される。
【００２４】
ディジタルカメラ１０およびスマートフォン５０の電源を投入し、スマートフォン５０
のカメラ操作機能を立ち上げ、そしてスマートフォン５０をディジタルカメラ１０に近傍
に移動させると、ディジタルカメラ１０で撮影されたシーンを表すライブ画像データが近
距離無線通信によってスマートフォン５０に転送される（図４参照）。また、スマートフ
ォン５０上でズーム操作を行うと、ズーム指示が近距離無線通信によってディジタルカメ
ラ１０に与えられ、これに応答してズーム倍率が変更される。さらに、スマートフォン５
０上で撮像操作を行うと、撮像指示が近距離無線通信によってディジタルカメラ１０に与
えられる。撮像指示が与えられた時点のシーンを表す静止画像データは、近距離無線通信
によってディジタルカメラ１０からスマートフォン５０に転送される。
【００２５】
図１に示すディジタルカメラ１０は、一般消費者によって携帯されて自宅や旅先で所望
のシーンを撮影することを前提とする。これに対して、図２に示すディジタルカメラ１０
は、テーマパークなどの観光地において複数の位置に設置されて定点を観測することを前
提とする。したがって、図１に示すディジタルカメラ１０と比較して、図２に示すディジ
タルカメラ１０では、キー入力装置３４，ＬＣＤドライバ２８およびＬＣＤモニタ３０が
省略される。
【００２６】
なお、図２に示すディジタルカメラ１０は、非日常的なシーンを撮影するために、ラジ
コンカー，ラジコン飛行機，ロッククライマーのヘルメットまたは動物に装着したり、さ
らには球技用のボールに埋め込んだりしてもよい。図２に示すディジタルカメラ１０はま
た、保冷物の管理のために冷蔵庫の中に設置したり、警備エリアを撮影するために警備員
の懐中電灯に装着したりしてもよい。
【００２７】
図１または図２を参照して、ディジタルカメラ１０は、ドライバ２０ａ，２０ｂおよび
２０ｃによってそれぞれ駆動されるズームレンズ１２，フォーカスレンズ１４および絞り
機構１６を含む。これらの部材を経た光学像は、撮像装置１８の撮像面に照射され、光電
変換を施される。これによって、撮像面で捉えられたシーンを表す電荷が生成される。
【００２８】
カメラＣＰＵ３２は、カメラ側撮像制御タスク，カメラ側表示制御タスク，応答処理タ
スク，カメラ側接続制御タスク，およびカメラ側通信制御タスクを含む複数のタスクをマ
ルチタスクＯＳの上で並列的に実行するプロセッサである。また、これらのタスクに対応
する制御プログラムは、フラッシュメモリ４０に記憶される。なお、カメラ側表示制御タ
スクは、図２に示すディジタルカメラ１０においては省略される。
【００２９】
電源が投入されると、カメラ側撮像制御タスクは、動画取り込み処理を開始するべく、
ドライバ２０ｄに露光動作および電荷読み出し動作の繰り返しを命令する。ドライバ２０
ｄは、図示しないＳＧ(Signal Generator)から周期的に発生する垂直同期信号Ｖｓｙｎｃ
に応答して、撮像面を露光し、かつ撮像面で生成された電荷をラスタ走査態様で読み出す
。撮像装置１８からは、読み出された電荷に基づく生画像データが周期的に出力される。
【００３０】
カメラ処理回路２２は、撮像装置１８から出力された生画像データに色分離，白バラン
ス調整，ＹＵＶ変換などの処理を施し、これによって生成されたＹＵＶ形式の画像データ
をメモリ制御回路２４を通してＳＤＲＡＭ２６のＹＵＶ画像エリア２６ａに書き込む。
【００３１】
図１に示すディジタルカメラ１０において、カメラ側表示制御タスクは、動画表示処理
の開始をＬＣＤドライバ２８に命令する。ＬＣＤドライバ２８は、ＹＵＶ画像エリア２６
ａに格納された画像データをメモリ制御回路２４を通して繰り返し読み出し、読み出され
た画像データに基づいてＬＣＤモニタ３０を駆動する。この結果、撮像面で捉えられたシ
ーンを表すライブ画像がモニタ画面に表示される。
【００３２】
カメラ処理回路２２によって作成された画像データは、カメラＣＰＵ３２にも与えられ
る。カメラ側撮像制御タスクは、与えられた画像データに簡易ＡＥ処理を施して適正ＥＶ
値を算出し、算出された適正ＥＶ値を定義する絞り量および露光時間をドライバ２０ｃお
よび２０ｄにそれぞれ設定する。この結果、画像データの輝度が適度に調整される。
【００３３】
図１に示すキー入力装置３４に設けられたズームボタン３４ｚが操作されると、カメラ
側撮像制御タスクは、ズーム処理の実行をドライバ２０ａに命令する。ズームレンズ１２
はドライバ２０ａによってズームイン方向またはズームアウト方向に移動され、これによ
って画像データの倍率が変化する。
【００３４】
図１に示すキー入力装置３４に設けられたシャッタボタン３４ｓｈが操作されると、カ
メラ側表示制御タスクは、動画表示処理の中断をＬＣＤドライバ２８に命令する。この結
果、ＬＣＤモニタ３０の表示がライブ画像から黒画像に更新される。
【００３５】
一方、カメラ側撮像制御タスクは、カメラ処理回路２２から出力された画像データに厳
格ＡＥ処理を施して最適ＥＶ値を算出し、算出された最適ＥＶ値を定義する絞り量および
露光時間をドライバ２０ｃおよび２０ｄにそれぞれ設定する。画像データの輝度は、最適
値に調整される。カメラ側撮像制御タスクは続いて、カメラ処理回路２２から出力された
画像データの高周波成分を参照したＡＦ処理を実行する。フォーカスレンズ１４は、ドラ
イバ２０ｂによって合焦点に配置され、これによって画像データの鮮鋭度が向上する。
【００３６】
ＡＦ処理が完了すると、カメラ側撮像制御タスクは、静止画取り込み処理を実行すると
ともに、記録処理の実行をメモリＩ／Ｆ３６に命令する。ＡＦ処理が完了した時点のシー
ンを表す１フレームの画像データは、静止画取り込み処理によってＳＤＲＡＭ２６の静止
画像エリア２６ｂに退避される。記録処理の実行を命令されたメモリＩ／Ｆ３６は、静止
画像エリア２６ｂに退避された画像データをメモリ制御回路２４を通して読み出し、読み
出された画像データを収めた画像ファイルを記録媒体３８に記録する。
【００３７】
カメラ側表示制御タスクは、記録処理の完了後に動画表示処理の再開をＬＣＤドライバ
２８に命令する。ＬＣＤドライバ２８はＹＵＶ画像エリア２６ａに格納された画像データ
の読み出しを再開し、この結果、ＬＣＤモニタ３０の表示がライブ画像に戻される。
【００３８】
図３を参照して、スマートフォン５０は、移動体通信用のアンテナ５２および無線通信
モジュールを含む。送受信データが通話音声データであれば、受話音声はスピーカ５６か
ら出力され、送話音声はマイクロフォン５８によって取り込まれる。また、送受信データ
が画像データであれば、このデータはスマートフォンＣＰＵ６０の制御の下で処理される
。
【００３９】
対象画像データは、メモリ制御回路６６を通してＳＤＲＡＭ６８に書き込まれる。ＬＣ
Ｄドライバ７０は、ＳＤＲＡＭ６８に格納された画像データをメモリ制御回路６６を通し
て読み出し、読み出された画像データに基づいてＬＣＤモニタ７２を駆動する。この結果
、対応する画像がモニタ画面に表示される。モニタ画面に対するタッチ操作は、タッチセ
ンサ７８によって検知される。検知結果はスマートフォンＣＰＵ６０に与えられ、タッチ
操作の態様に応じて異なる処理がスマートフォン６０の制御の下で実行される。
【００４０】
スマートフォンＣＰＵ６０もまた、マルチタスクＯＳの上で複数のタスクを並列的に実
行するプロセッサである。実行されるタスクとしては、探索処理タスク，フォン側接続制
御タスク，フォン側通信制御タスク，フォン側表示制御タスク，およびフォン側撮像制御
タスクが準備される。また、これらのタスクに対応する制御プログラムは、フラッシュメ
モリ６２に記憶される。
【００４１】
スマートフォン５０において、探索処理タスクは、図６（Ａ）に示す探索レジスタＲＧ
ＳＴｓを初期化する処理と応答要求を発行する処理とを探索周期（＝１０秒）が到来する
毎に実行する。発行される応答要求には自己のフォンＩＤが記述され、かつ応答要求は通
信Ｉ／Ｆ６４からブロードキャスト方式で発行される。
【００４２】
応答要求がディジタルカメラ１０の通信Ｉ／Ｆ４２によって受信されると、応答処理タ
スクは、通信Ｉ／Ｆ４２を通してＡＣＫを返送する。返送されるＡＣＫには、自己を識別
するカメラＩＤと要求元のフォンＩＤとが記述される。ディジタルカメラ１０は予め定義
された複数のグループのいずれか１つに属し、所属グループを識別するグループＩＤがデ
ィジタルカメラ１０に割り当てられる。ＡＣＫに記述されるカメラＩＤには、このグルー
プＩＤが拡張的に付加される。
【００４３】
自己のフォンＩＤが記述されたＡＣＫがスマートフォン５０の通信Ｉ／Ｆ６４によって
受信されると、探索処理タスクは、受信したＡＣＫに記述されたカメラＩＤを抽出し、抽
出されたカメラＩＤを探索レジスタＲＧＳＴｓに登録する。カメラＩＤに拡張的に付加さ
れたグループＩＤは、カメラＩＤに対応して探索レジスタＲＧＳＴｓに登録される。
【００４４】
こうして少なくとも１つのカメラＩＤが探索レジスタＲＧＳＴｓに登録されると、フォ
ン側接続制御タスクは、グループメニューの表示をＬＣＤドライバ７０に命令する。ＬＣ
Ｄドライバ７０は、１または２以上のグループＩＤを探索レジスタＲＧＳＴｓから検出し
、検出されたグループＩＤをグループメニューとしてＬＣＤモニタ７２に表示する。
【００４５】
表示されたグループＩＤのいずれか１つを選択するタッチ操作（＝グループ選択操作）
がタッチセンサ７８によって検知されると、フォン側接続制御タスクは、図６（Ｂ）に示
す接続レジスタＲＧＳＴｃを初期化し、通信Ｉ／Ｆ６４を通して接続要求を発行する。発
行される接続要求には、自己のフォンＩＤおよび仕様情報が記述され、さらに選択された
グループＩＤに対応して探索レジスタＲＧＳＴｓに記述された１または２以上のカメラＩ
Ｄが記述される。なお、仕様情報としては、たとえばＬＣＤモニタ７２の解像度が想定さ
れる。
【００４６】
スマートフォン５０から発行された接続要求がディジタルカメラ１０の通信Ｉ／Ｆ４２
によって受信されると、カメラ側接続制御タスクは、受信した接続要求に対して認証処理
を実行する。認証処理の結果、要求元のスマートフォン５０との接続が承認されると、カ
メラ側接続制御タスクは、自己のカメラＩＤと要求元のフォンＩＤとが記述されたＡＣＫ
を通信Ｉ／Ｆ４２を通して送信する。
【００４７】
カメラ側接続制御タスクは続いて、要求元のフォンＩＤおよび仕様情報を接続要求から
抽出し、抽出したフォンＩＤおよび仕様情報を図５に示すレジスタＲＧＳＴ１に登録する
。カメラ側接続制御タスクはさらに、レジスタＲＧＳＴ１に登録されたフォンＩＤの数が
“０”から“１”に更新されたとき、スマートフォン５０との接続の確立を他のタスクに
通知する。
【００４８】
この通知を受けたカメラ側表示制御タスクは、ＬＣＤモニタ３０へのライブ画像の表示
を中断する。ＬＣＤモニタ３０の表示は、スマートフォン５０との接続に応答してライブ
画像から黒画像に更新される。
【００４９】
カメラ側接続制御タスクはまた、確認周期（＝５秒）が到来する毎に、通信Ｉ／Ｆ４２
を通して応答要求を発行する。発行される応答要求には、自己のカメラＩＤとレジスタＲ
ＧＳＴ１に登録された１または２以上のフォンＩＤとが記述される。
【００５０】
この応答要求がスマートフォン５０の通信Ｉ／Ｆ６４によって受信されると、フォン側
接続制御タスクは、自己のフォンＩＤと一致するフォンＩＤおよび接続レジスタＲＧＳＴ
ｃに登録されたいずれかのカメラＩＤと一致するカメラＩＤが応答要求に記述されている
場合に限って、ＡＣＫを返送する。返送されるＡＣＫには、自己のフォンＩＤと要求元の
カメラＩＤとが記述される。
【００５１】
ディジタルカメラ１０において、カメラ側接続制御タスクは、こうして返送されたＡＣ
Ｋの受信状況を参照して、接続を維持できなくなったスマートフォン５０を特定する。特
定されたスマートフォン５０のフォンＩＤおよび仕様情報は、レジスタＲＧＳＴ１から削
除される。
【００５２】
削除の結果、レジスタＲＧＳＴ１に登録されたフォンＩＤの数が“１”から“０”に更
新されると、カメラ側接続制御タスクは、スマートフォン５０との接続の解除を他のタス
クに通知する。この通知を受けたカメラ側表示制御タスクは、ＬＣＤモニタ３０へのライ
ブ画像の表示を再開する。ＬＣＤモニタ３０の表示は、スマートフォン５０との接続の解
除に応答して黒画像からライブ画像に更新される。
【００５３】
ディジタルカメラ１０で捉えられたシーンを表すライブ画像は、接続先のスマートフォ
ン５０のＬＣＤモニタ７２に表示される（詳細は後述）。表示されたライブ画像を指定し
た非接続操作が行われると、フォン側接続制御タスクは、指定されたライブ画像の送信元
を識別するカメラＩＤと自己のフォンＩＤとが記述された非接続要求を通信Ｉ／Ｆ６４を
通して送信する。指定されたライブ画像の送信元を識別するカメラＩＤはその後、接続レ
ジスタＲＧＳＴｃから削除される。
【００５４】
スマートフォン５０から発行された非接続要求がディジタルカメラ１０の通信Ｉ／Ｆ４
２によって受信されると、カメラ側接続制御タスクは、要求元のフォンＩＤおよび仕様情
報をレジスタＲＧＳＴ１から削除する。レジスタＲＧＳＴ１に登録されたフォンＩＤの数
が“１”から“０”に更新されると、上述のようにＬＣＤモニタ３０へのライブ画像の表
示が再開される。
【００５５】
少なくとも１つのフォンＩＤがレジスタＲＧＳＴ１に登録されると、カメラ側通信制御
タスクは、動画転送処理の開始を通信Ｉ／Ｆ４２に命令する。カメラ側通信制御タスクは
また、レジスタＲＧＳＴ１に登録された１または２以上の仕様の中から最低品質を表す仕
様を選択し、選択された仕様に適合する転送画質を通信Ｉ／Ｆ４２に設定する。なお、通
信Ｉ／Ｆ４２に設定された転送品質は、登録されたカメラＩＤの数が“１”以上の範囲で
レジスタＲＧＳＴ１の記述が更新される毎に更新される。
【００５６】
通信Ｉ／Ｆ４２は、ＹＵＶ画像エリア２６ａに格納された画像データをメモリ制御回路
２４を通して周期的に読み出し、読み出された画像データの品質を上述の要領で設定され
た転送画質を参照して調整し、そして調整された品質を有する画像データをライブ画像デ
ータとしてスマートフォン５０に転送する。なお、転送方式としてはブロードキャスト方
式が採用される。また、転送されるライブ画像データには、レジスタＲＧＳＴ１に登録さ
れた１または２以上のカメラＩＤが埋め込まれる。レジスタＲＧＳＴ１の記述が更新され
ると、ライブ画像データに埋め込まれるカメラＩＤもまた更新される。
【００５７】
レジスタＲＧＳＴ１に登録される仕様としては、スマートフォン５０に設けられたＬＣ
Ｄモニタ７２の解像度が想定される。３つのスマートフォン５０，５０および５０がディ
ジタルカメラ１０と接続されたとき、各スマートフォン５０のフォンＩＤおよび仕様はた
とえば図７に示す要領でレジスタＲＧＳＴ１に記述される。
【００５８】
図７によれば、１つ目のスマートフォン５０のフォンＩＤは“ＰＨ＿Ａ”であり、１つ
目のスマートフォン５０のＬＣＤモニタ７２は６４０画素×９６０画素の解像度を有する
。また、２つ目のスマートフォン５０のフォンＩＤは“ＰＨ＿Ｂ”であり、２つ目のスマ
ートフォン５０のＬＣＤモニタ７２は３２０画素×４８０画素の解像度を有する。さらに
、３つ目のスマートフォン５０のフォンＩＤは“ＰＨ＿Ｃ”であり、３つ目のスマートフ
ォン５０のＬＣＤモニタ７２は７６８画素×１０２４画素の解像度を有する。
【００５９】
このとき、カメラ側通信制御タスクは、３２０画素×４８０画素の解像度を最低品質の
仕様として選択し、選択された解像度を転送画質として通信Ｉ／Ｆ４２に設定する。通信
Ｉ／Ｆ４２によって転送されるライブ画像データは、３２０画素×４８０画素の解像度を
示す。
【００６０】
少なくとも１つのカメラＩＤが接続レジスタＲＧＳＴｃに登録されると、フォン側通信
制御タスクは、接続レジスタＲＧＳＴｃに記述されたカメラＩＤと一致するカメラＩＤが
埋め込まれたライブ画像データの受信を開始するべく、対応する命令を通信Ｉ／Ｆ６４に
与える。フォン側通信制御タスクはまた、通信Ｉ／Ｆ６４によって受信されたライブ画像
データの受信強度（厳密にはライブ画像データに相当する電波の強度）を送信元毎（＝カ
メラＩＤ毎）に測定し、受信されたライブ画像データの配置を送信元毎（＝カメラＩＤ毎
）に決定する。決定された配置によれば、ライブ画像データは測定された受信強度が大き
い順に並ぶ。
【００６１】
通信Ｉ／Ｆ６４によって受信されたライブ画像データは、メモリ制御回路６６に与えら
れる。メモリ制御回路６６は、与えられたライブ画像データを上述の要領で決定された配
置を参照してＳＤＲＡＭ６８に書き込む。
【００６２】
フォン側通信制御タスクはまた、確認周期（＝３秒）が到来する毎に、受信強度が基準
以下のライブ画像データ（＝受信不能なライブ画像データ）の送信元を検出する。検出さ
れた送信元を識別するカメラＩＤは、接続レジスタＲＧＳＴｃから削除される。通信Ｉ／
Ｆ６４によるライブ画像データの受信態様は、削除処理の後の接続レジスタＲＧＳＴｓの
記述を反映する。また、ライブ画像データの受信は、接続レジスタＲＧＳＴｃに登録され
たカメラＩＤの数が“１”から“０”に更新された時点で停止される。
【００６３】
フォン側通信制御タスクによってライブ画像データの受信が開始されると、フォン側表
示制御タスクは、ライブ画像の表示の開始をＬＣＤドライバ７０に命令する。ＬＣＤドラ
イバ７０は、ＳＤＲＡＭ６８に格納されたライブ画像データをメモリ制御回路６６を通し
て読み出し、読み出されたライブ画像データに基づいてＬＣＤモニタ７２を駆動する。こ
の結果、１または２以上のライブ画像が受信強度に従う順序でモニタ画面に表示される。
【００６４】
４つのディジタルカメラ１０，１０，…がスマートフォン５０と接続されたとき、カメ
ラＩＤはたとえば図８（Ａ）に示す要領で接続レジスタＲＧＳＴｃに記述される。図８（
Ａ）によれば、１つ目のディジタルカメラ１０のカメラＩＤは“ＣＭ＿Ａ”を示し、２つ
目のディジタルカメラ１０のカメラＩＤは“ＣＭ＿Ｂ”を示し、３つ目のディジタルカメ
ラ１０のカメラＩＤは“ＣＭ＿Ｃ”を示し、４つ目のディジタルカメラ１０のカメラＩＤ
は“ＣＭ＿Ｄ”を示す。
【００６５】
これを踏まえて、通信Ｉ／Ｆ６４によって受信されたライブ画像データの受信強度が“
ＣＭ＿Ａ”→“ＣＭ＿Ｂ”→“ＣＭ＿Ｃ”→“ＣＭ＿Ｄ”の順で低下する場合、４つのラ
イブ画像ＬＶ＿Ａ，ＬＶ＿Ｂ，ＬＶ＿ＣおよびＬＶ＿Ｄは、図８（Ｂ）に示す要領でＬＣ
Ｄモニタ７２に表示される。
【００６６】
なお、ライブ画像ＬＶ＿ＡはカメラＩＤ“ＣＭ＿Ａ”が埋め込まれたライブ画像データ
に基づく画像であり、ライブ画像ＬＶ＿ＢはカメラＩＤ“ＣＭ＿Ｂ”が埋め込まれたライ
ブ画像データに基づく画像である。また、ライブ画像ＬＶ＿ＣはカメラＩＤ“ＣＭ＿Ｃ”
が埋め込まれたライブ画像データに基づく画像であり、ライブ画像ＬＶ＿ＤはカメラＩＤ
“ＣＭ＿Ｄ”が埋め込まれたライブ画像データに基づく画像である。
【００６７】
その後、カメラＩＤ“ＣＭ＿Ｂ”が埋め込まれたライブ画像データの受信強度がカメラ
ＩＤ“ＣＭ＿Ｄ”が埋め込まれたライブ画像データの受信強度よりも低下すると、ＬＣＤ
モニタ７２の表示状態は図８（Ｂ）の状態から図９（Ｂ）の状態に更新される。図９（Ｂ
）によれば、４つのライブ画像は、ＬＶ＿Ａ→ＬＶ＿Ｃ→ＬＶ＿Ｄ→ＬＶ＿Ｂの順で配置
される。なお、この時点では、接続レジスタＲＧＳＴｃの記述は従前のままである（図９
（Ａ）参照）。
【００６８】
ただし、カメラＩＤ“ＣＭ＿Ｂ”が埋め込まれたライブ画像データの受信強度が次回の
確認周期の時点で基準以下であれば、カメラＩＤ“ＣＭ＿Ｂ”は図１０（Ａ）に示すよう
に接続レジスタＲＧＳＴｃから削除される。削除の結果、カメラＩＤ“ＣＭ＿Ｂ”が埋め
込まれたライブ画像データの受信が停止され、図１０（Ｂ）に示すようにライブ画像ＬＶ
＿ＢがＬＣＤモニタ７２から消滅する。
【００６９】
ＬＣＤモニタ７２に表示されたいずれかのライブ画像を選択する操作（＝画像選択操作
）が行われると、フォン側表示制御タスクは、選択されたライブ画像の拡大表示をＬＣＤ
ドライバ７０に命令する。ＬＣＤドライバ７０は命令に従う処理を実行し、この結果、選
択されたライブ画像が拡大される。拡大表示状態で選択解除操作が行われると、フォン側
表示制御タスクは、拡大表示の終了をＬＣＤドライバ７０に命令する。ＬＣＤドライバ７
０は命令に従う処理を実行し、この結果、拡大されたライブ画像のサイズが元のサイズに
戻される。
【００７０】
フォン側表示制御タスクによってライブ画像の表示が開始されると、フォン側撮像制御
タスクは、ズーム操作および撮像操作の受け付けを開始する。ここで、ズーム操作は所望
のライブ画像のピンチインまたはピンチアウトする操作に相当し、撮像操作は所望のライ
ブ画像を２回連続してタッチする操作に相当する。
【００７１】
ＬＣＤモニタ７２に表示された所望のライブ画像に対するズーム操作が行われると、フ
ォン側撮像制御タスクは、通信Ｉ／Ｆ６４を通してズーム指示を発行する。発行されるズ
ーム指示には、ピンチイン操作またはピンチアウト操作に従うズーム倍率情報と所望のラ
イブ画像の送信元のカメラＩＤと自己のフォンＩＤとが記述される。
【００７２】
スマートフォン５０から発行されたズーム指示が通信Ｉ／Ｆ４２によって受信されると
、カメラ側撮像制御タスクは、ズーム指示に記述されたカメラＩＤが自己のカメラＩＤと
一致しかつズーム指示に記述されたフォンＩＤがレジスタＲＧＳＴ１に登録されたいずれ
かのフォンＩＤと一致することを条件として、ズーム処理を実行する。ズームレンズ１２
は、ドライバ２０ａによってズームイン方向またはズームアウト方向に移動する。この結
果、スマートフォン５０のＬＣＤモニタ７２に表示された所望のライブ画像の倍率が変化
する。
【００７３】
ＬＣＤモニタ７２に表示された所望のライブ画像に対する撮像操作が行われると、フォ
ン側撮像制御タスクは、通信Ｉ／Ｆ６４を通して撮像指示を発行する。発行される撮像指
示には、所望のライブ画像の送信元のカメラＩＤと自己のフォンＩＤとが記述される。フ
ォン側撮像制御タスクはまた、撮像指示の発行の後に、所望のライブ画像の表示の中断を
ＬＣＤドライバ７０に命令する。この結果、所望のライブ画像が黒画像に更新される。
【００７４】
表示画像をライブ画像から黒画像に更新することで、スマートフォン５０のユーザは撮
像指示が発行されたことを視覚的に認識することができる。また、ディジタルカメラ１０
から取得された静止画像をプレビューのためにＬＣＤモニタ７０に表示するようにした場
合、黒画像の表示を省略すると、ＬＣＤモニタ７０の表示はライブ画像から静止画像に更
新され、これによってスマートフォン５０のユーザが混乱するおそれがある。黒画像の表
示は、静止画像をプレビュー表示する場合にスマートフォン５０のユーザの混乱を回避さ
せるという利点ももたらす。
【００７５】
スマートフォン５０から発行された撮像指示が通信Ｉ／Ｆ４２によって受信されると、
カメラ側撮像制御タスクは、撮像指示に記述されたカメラＩＤが自己のカメラＩＤと一致
しかつ撮像指示に記述されたフォンＩＤがレジスタＲＧＳＴ１に登録されたいずれかのフ
ォンＩＤと一致することを条件として、厳格ＡＥ処理，ＡＦ処理および静止画取り込み処
理の一連の処理を実行する。
【００７６】
静止画取り込み処理が完了すると、カメラ側通信制御タスクは、これによって取得され
た静止画像データの転送を通信Ｉ／Ｆ４２に命令する。通信Ｉ／Ｆ４２は、静止画像エリ
ア２６ｂに退避された静止画像データをメモリ制御回路２４を通して読み出し、読み出さ
れた静止画像データを撮像指示の発行元に転送する。ここで、転送方式としてはユニキャ
スト方式が採用され、転送される静止画像データには撮像指示の発行元のフォンＩＤが埋
め込まれる。
【００７７】
撮像指示の発行先からの静止画像データが通信Ｉ／Ｆ６４によって受信されると、フォ
ン側撮像制御タスクは、受信された静止画像データの記録処理をメモリＩ／Ｆ７４に命令
する。受信された静止画像データは、メモリＩ／Ｆ７４によってファイル形式でフラッシ
ュメモリ７４に記録される。記録が完了すると、フォン側撮像制御タスクは、中断された
ライブ画像の表示の再開をＬＣＤドライバ７０に与える。この結果、所望のライブ画像の
表示が再開される。
【００７８】
カメラＣＰＵ３２の処理に関連して、カメラ側撮像制御タスクは図１１に示すように構
成され、カメラ側表示制御タスクは図１２に示すように構成され、応答処理タスクは図１
３に示すように構成され、カメラ側接続制御タスクは図１４〜図１５に示すように構成さ
れ、カメラ側通信制御タスクは図１６〜図１７に示すように構成される。ここで、タスク
優先度は、カメラ側撮像制御タスク→カメラ側通信制御タスク→カメラ側表示制御タスク
→応答処理タスク→カメラ側接続制御タスクの順で低下する。上述のように、図１２に示
すカメラ側表示制御タスクは、図２に示すディジタルカメラ１０においては省略される。
【００７９】
図１１を参照して、ステップＳ１では動画取り込み処理を開始する。この結果、撮像面
で捉えられたシーンを表す生画像データが撮像装置１８から周期的に出力され、これに対
応するＹＵＶ形式の画像データがカメラ処理回路２２から周期的に出力される。
【００８０】
ステップＳ３では、シャッタボタン３４ｓｈが操作されるか或いはスマートフォン５０
から発行された撮像指示（自己のカメラＩＤと一致するカメラＩＤとレジスタＲＧＳＴ１
に登録されたいずれかのフォンＩＤと一致するフォンＩＤとが記述された撮像指示に限る
）が通信Ｉ／Ｆ４２によって受信されるという論理和条件が満足されたか否かを判別する
。判別結果がＮＯであればステップＳ５に進み、簡易ＡＥ処理を実行する。この結果、カ
メラ処理回路２２から出力される画像データの輝度が適度に調整される。
【００８１】
ステップＳ７では、ズームボタン３４ｚが操作されるか或いはスマートフォン５０から
発行されたズーム指示（自己のカメラＩＤと一致するカメラＩＤとレジスタＲＧＳＴ１に
登録されたいずれかのフォンＩＤと一致するフォンＩＤとが記述されたズーム指示に限る
）が通信Ｉ／Ｆ４２によって受信されるという論理和条件が満足されたか否かを判別する
。判別結果がＮＯであればそのままステップＳ３に戻る一方、判別結果がＹＥＳであれば
ステップＳ９でズーム処理を実行してからステップＳ３に戻る。ズーム処理の結果、ズー
ムレンズ１２がズームイン方向またはズームアウト方向に移動し、カメラ処理回路２２か
ら出力される画像データの倍率が変化する。
【００８２】
ステップＳ３の判別結果がＹＥＳであれば、ステップＳ１１で厳格ＡＥ処理を実行し、
ステップＳ１３でＡＦ処理を実行する。画像データの輝度は厳格ＡＥ処理によって最適値
に調整され、画像データの鮮鋭度はＡＦ処理によって向上する。ステップＳ１３の処理が
完了すると、ステップＳ１５で静止画取り込み処理を実行する。ＡＦ処理が完了した時点
のシーンを表す１フレームの画像データは、静止画像データとしてＹＵＶ画像エリア２６
ａから静止画像エリア２６ｂに退避される。
【００８３】
ステップＳ１７では、ステップＳ３の判別結果をＮＯからＹＥＳに更新するトリガがシ
ャッタボタン３４ｓｈの操作であるか否かを判別する。判別結果がＮＯであれば、つまり
トリガがスマートフォン５０からの撮像指示であれば、そのままステップＳ３に戻る。こ
れに対して、判別結果がＹＥＳであれば、つまりトリガがシャッタボタン３４ｓｈの操作
であれば、ステップＳ１９で記録処理の実行をメモリＩ／Ｆ３６に命令する。
【００８４】
メモリＩ／Ｆ３６は、静止画像エリア２６ｂに退避された静止画像データをメモリ制御
回路２４を通して読み出し、読み出された静止画像データを収めた画像ファイルを記録媒
体３８に記録する。記録処理が完了すると、ステップＳ３に戻る。
【００８５】
図１２を参照して、ステップＳ２１では動画表示処理を開始する。この結果、撮像面で
捉えられたシーンを表すライブ画像がＬＣＤモニタ３０に表示される。ステップＳ２３で
はシャッタボタン３４ｓｈが操作されたか否かを判別し、ステップＳ２５では少なくとも
１つのスマートフォン５０との接続が確立されたか否かを判別する。ステップＳ２５の判
別処理は、後述するステップＳ６３で発行された通知に基づいて実行される。
【００８６】
ステップＳ２３の判別結果がＮＯからＹＥＳに更新されると、ステップＳ２７で動画表
示処理を中断する。ＬＣＤモニタ３０の表示は、ライブ画像から黒画像に更新される。ス
テップＳ２９では、図１１に示すステップＳ１９の記録処理が完了したか否かを判別する
。判別結果がＮＯからＹＥＳに更新されると、ステップＳ３１で動画表示処理を再開し、
その後にステップＳ２３に戻る。
【００８７】
ステップＳ２５の判別結果がＮＯからＹＥＳに更新されると、ステップＳ２３で動画表
示処理を中断する。ＬＣＤモニタ３０の表示は、上述と同様、ライブ画像から黒画像に更
新される。ステップＳ３５では、全てのスマートフォン５０，５０，…との接続が解除さ
れたか否かを判別する。この判別処理は、後述するステップＳ７７で発行された通知に基
づいて実行される。判別結果がＮＯからＹＥＳに更新されると、ステップＳ３１の処理を
経てステップＳ２３に戻る。
【００８８】
図１３を参照して、ステップＳ４１では応答要求が通信Ｉ／Ｆ４２によって受信された
か否かを判別する。判別結果がＮＯからＹＥＳに更新されるとステップＳ４３に進み、通
信Ｉ／Ｆ４２を通してＡＣＫを返送する。受信された応答要求には要求元のスマートフォ
ン５０を識別するフォンＩＤが記述され、ステップＳ４３で返送されるＡＣＫには自己を
識別するカメラＩＤと要求元のフォンＩＤとが記述される。返送処理が完了すると、ステ
ップＳ４１に戻る。
【００８９】
なお、ディジタルカメラ１０は予め定義された複数のグループのいずれか１つに属し、
所属グループを識別するグループＩＤがディジタルカメラ１０に割り当てられる。ステッ
プＳ４３でＡＣＫに記述されるカメラＩＤには、このグループＩＤが拡張的に付加される
。
【００９０】
図１４を参照して、ステップＳ５１では、周辺のスマートフォン５０から発行された接
続要求が通信Ｉ／Ｆ４２によって受信されたか否かを判別する。接続要求には、要求先の
カメラＩＤおよび要求元のフォンＩＤに加えて、要求元のスマートフォン５０の仕様を示
す仕様情報が記述される。ステップＳ５１の判別結果がＹＥＳであれば、ステップＳ５３
で認証処理を実行する。ステップＳ５５では要求元のスマートフォン５０との接続が承認
されたか否かを認証処理の結果に基づいて判別し、判別結果がＮＯであればステップＳ５
１に戻る一方、判別結果がＹＥＳであればステップＳ５７に進む。
【００９１】
ステップＳ５７では、自己のカメラＩＤと要求元のフォンＩＤとが記述されたＡＣＫを
通信Ｉ／Ｆ４２を通して送信する。ステップＳ５９では、要求元のフォンＩＤおよび仕様
情報を接続要求から抽出し、抽出したフォンＩＤおよび仕様情報をレジスタＲＧＳＴ１に
登録する。ステップＳ６１ではレジスタＲＧＳＴ１に登録されたフォンＩＤの数が“１”
であるか否かを判別し、判別結果がＮＯであればステップＳ５１に戻る一方、判別結果が
ＹＥＳであればステップＳ６３に進む。ステップＳ６３では、スマートフォン５０との接
続の確立を他のタスクに通知する。通知が完了すると、ステップＳ５１に戻る。
【００９２】
ステップＳ５１の判別結果がＮＯであれば、レジスタＲＧＳＴ１に少なくとも１つのフ
ォンＩＤが登録されているか否かをステップＳ６５で判別する。判別結果がＮＯであれば
ステップＳ５１に戻り、判別結果がＹＥＳであればステップＳ６７に進む。
【００９３】
ステップＳ６７では、接続状態にあるスマートフォン５０から発行された非接続要求が
通信Ｉ／Ｆ４２によって受信されたか否かを判別する。非接続要求には、要求元のフォン
ＩＤと要求先のカメラＩＤとが記述される。要求元のスマートフォン５０が自己と接続状
態にあるか否かは、レジスタＲＧＳＴ１の記述と非接続要求に記述されたフォンＩＤとに
基づいて判別される。
【００９４】
判別結果がＹＥＳであればステップＳ６９に進み、要求元のフォンＩＤおよび仕様情報
をレジスタＲＧＳＴ１から削除する。ステップＳ７１では、レジスタＲＧＳＴ１に登録さ
れたフォンＩＤの数が“０”であるか否かを判別する。判別結果がＮＯであれば、そのま
まステップＳ５１に戻る。一方、判別結果がＹＥＳであればステップＳ７３に進み、スマ
ートフォン５０との接続の解除を他のタスクに通知する。通知が完了すると、ステップＳ
５１に戻る。
【００９５】
ステップＳ６７の判別結果がＮＯであれば、確認周期（＝５秒）が到来したか否かをス
テップＳ７５で判別する。判別結果がＹＥＳであればステップＳ７７に進み、通信Ｉ／Ｆ
４２を通して応答要求を発行する。発行される応答要求には、自己のカメラＩＤとレジス
タＲＧＳＴ１に登録された１または２以上のフォンＩＤとが記述される。
【００９６】
応答要求に記述されたフォンＩＤと同じフォンＩＤを有するスマートフォン５０は、後
述するステップＳ１６５の処理によってＡＣＫを返送する。返送されるＡＣＫには、返送
元のフォンＩＤと返送先のカメラＩＤとが記述される。ステップＳ７９では、こうして返
送されたＡＣＫの受信状況を参照して、接続を維持できなくなったスマートフォン５０を
特定する。特定されたスマートフォン５０のフォンＩＤおよび仕様情報は、ステップＳ６
９でレジスタＲＧＳＴ１から削除される。
【００９７】
図１６を参照して、ステップＳ８１では少なくとも１つのスマートフォン５０との接続
が確立されたか否かを判別する。この判別処理は、上述のステップＳ６３で発行された通
知に基づいて実行される。判別結果がＮＯからＹＥＳに更新されるとステップＳ８３に進
み、動画転送処理の開始を通信Ｉ／Ｆ４２に命令する。ステップＳ８５ではレジスタＲＧ
ＴＳ１に登録された１または２以上の仕様の中から最低品質を表す仕様を選択し、ステッ
プＳ８７では、ステップＳ８５で選択された仕様に適合する転送画質を通信Ｉ／Ｆ４２に
設定する。
【００９８】
通信Ｉ／Ｆ４２は、ＹＵＶ画像エリア２６ａに格納された画像データをメモリ制御回路
２４を通して周期的に読み出し、読み出された画像データの品質をステップＳ８７で設定
された転送画質を参照して調整し、そして調整された品質を有する画像データをライブ画
像データとしてスマートフォン５０に転送する。なお、転送方式としてはブロードキャス
ト方式が採用される。また、転送されるライブ画像データには、レジスタＲＧＳＴ１に登
録された１または２以上のカメラＩＤが埋め込まれる。レジスタＲＧＳＴ１の記述が更新
されると、ライブ画像データに埋め込まれるカメラＩＤもまた更新される。
【００９９】
ステップＳ８９ではレジスタＲＧＳＴ１の記述が更新されたか否かを判別し、ステップ
Ｓ９５では撮像指示が与えられたか否かを判別する。なお、ステップＳ９５で注目される
撮像指示は、自己のカメラＩＤと一致するカメラＩＤおよびレジスタＲＧＳＴ１に登録さ
れたいずれかのフォンＩＤと一致するフォンＩＤが記述された指示である。
【０１００】
ステップＳ８９の判別結果がＹＥＳであれば、スマートフォン５０との接続が解除され
たか否かを上述のステップＳ７７で発行された通知に基づいて判別する。判別結果がＮＯ
であればステップＳ８５に戻り、判別結果がＹＥＳであればステップＳ９３に進む。ステ
ップＳ９３では動画転送処理の停止を通信Ｉ／Ｆ４２に命令し、その後にステップＳ８１
に戻る。ステップＳ９３の処理の結果、通信Ｉ／Ｆ４２は、ライブ画像データのブロード
キャスト転送を停止する。
【０１０１】
ステップＳ９５の判別結果がＮＯからＹＥＳに更新されると、上述したステップＳ１５
の静止画取り込み処理が完了したか否かをステップＳ９７で判別する。判別結果がＮＯか
らＹＥＳに更新されるとステップＳ９９に進み、撮像指示の発行元への静止画像データの
転送を通信Ｉ／Ｆ４２に命令する。通信Ｉ／Ｆ４２は、静止画像エリア２６ｂに退避され
た静止画像データをメモリ制御回路２４を通して読み出し、読み出された静止画像データ
を撮像指示の発行元に転送する。ここで、転送方式としてはユニキャスト方式が採用され
、転送される静止画像データには撮像指示の発行元のフォンＩＤが記述される。ステップ
Ｓ１０１では静止画像データの転送が完了したか否かを判別し、判別結果がＮＯからＹＥ
Ｓに更新されるとステップＳ８９に戻る。
【０１０２】
スマートフォンＣＰＵ６０の処理に関連して、探索処理タスクは図１８に示すように構
成され、フォン側接続制御タスクは図１９〜図２０に示すように構成され、フォン側通信
制御タスクは図２１に示すように構成され、フォン側表示制御タスクは図２２に示すよう
に構成され、フォン側撮像制御タスクは図２３に示すように構成される。
【０１０３】
図１８を参照して、ステップＳ１１１では探索周期（＝１０秒）が到来したか否かを判
別する。判別結果がＮＯからＹＥＳに更新されると、ステップＳ１１３で探索レジスタＲ
ＧＳＴｓを初期化し、自己のフォンＩＤが記述された応答要求をステップＳ１１５で発行
する。応答要求は、通信Ｉ／Ｆ６４を通してブロードキャスト方式で発行される。
【０１０４】
ステップＳ１１７では自己のフォンＩＤが記述されたＡＣＫが通信Ｉ／Ｆ６４によって
受信されたか否かを判別し、ステップＳ１１９ではタイムアウトが発生したか否かを判別
する。ステップＳ１１９の判別結果がＮＯであればステップＳ１１７に戻り、ステップＳ
１１９の判別結果がＹＥＳであればステップＳ１１１に戻る。
【０１０５】
ステップＳ１１７の判別結果がＹＥＳであれば、受信したＡＣＫに記述された返送元Ｉ
ＤをステップＳ１２１で抽出し、抽出された返送元ＩＤがカメラＩＤであるか否かをステ
ップＳ１２３で判別する。判別結果がＮＯであればステップＳ１１７に戻り、判別結果が
ＹＥＳであればステップＳ１２５に進む。ステップＳ１２５では、抽出されたカメラＩＤ
を探索レジスタＲＧＳＴｓに登録する。カメラＩＤに拡張的に付加されたグループＩＤは
、カメラＩＤに対応してレジスタＲＧＳＴ２に登録される。登録が完了するとステップＳ
１１１に戻る。
【０１０６】
図１９を参照して、ステップＳ１３１では、少なくとも１つのカメラＩＤが探索レジス
タＲＧＳＴｓに登録されているか否かを判別する。判別結果がＹＥＳであれば、ステップ
Ｓ１３３でグループメニューの表示をＬＣＤドライバ７０に命令する。ＬＣＤドライバ７
０は、１または２以上のグループＩＤを探索レジスタＲＧＳＴｓから検出し、検出された
グループＩＤをグループメニューとしてＬＣＤモニタ７２に表示する。
【０１０７】
ステップＳ１３７では表示されたグループＩＤのいずれか１つを選択するタッチ操作（
＝グループ選択操作）が行われたか否かをタッチセンサ７８の出力に基づいて判別し、判
別結果がＹＥＳであればステップＳ１３９に進む一方、判別結果がＮＯであればステップ
Ｓ１３１に戻る。なお、ステップＳ１３１の判別結果がＮＯであればステップＳ１３５に
進み、グループメニューの非表示をＬＣＤドライバ７０に命令する。この結果、表示中の
グループメニューが非表示とされる。ステップＳ１３５の処理が完了すると、ステップＳ
１３１に戻る。
【０１０８】
ステップＳ１３９では接続レジスタＲＧＳＴｃを初期化し、ステップＳ１４１では通信
Ｉ／Ｆ６４を通して接続要求を発行する。発行される接続要求には、自己のフォンＩＤお
よび仕様情報が記述され、さらに選択されたグループＩＤに対応して探索レジスタＲＧＳ
Ｔｓに記述された１または２以上のカメラＩＤが記述される。ステップＳ１４３では、自
己のフォンＩＤが記述されたＡＣＫが通信Ｉ／Ｆ６４によって受信されたか否かを判別し
、ステップＳ１４５ではタイムアウトが発生したか否かを判別する。なお、ステップＳ１
４３で注目されるＡＣＫはステップＳ１４１で発行された接続要求に対して返送されるＡ
ＣＫであり、ステップＳ１１７で注目されるＡＣＫとは区別される。
【０１０９】
ステップＳ１４５の判別結果がＮＯであればステップＳ１４３に戻り、ステップＳ１４
３の判別結果がＹＥＳであればステップＳ１４７に進む。ステップＳ１４７では、返送さ
れたＡＣＫに記述されたカメラＩＤを接続レジスタＲＧＳＴｃに登録する。したがって、
タイムアウトが発生するまでの期間に複数のＡＣＫが返送されたときは、複数のカメラＩ
Ｄが接続レジスタＲＧＳＴｃに登録される。
【０１１０】
ステップＳ１４５の判別結果がＮＯからＹＥＳに更新されると、少なくとも１つのカメ
ラＩＤが接続レジスタＲＧＳｔｃに登録されているか否かをステップＳ１４９で判別する
。判別結果がＮＯであればステップＳ１３１に戻り、判別結果がＹＥＳであればステップ
Ｓ１５１に進む。
【０１１１】
ステップＳ１５１では非接続操作が行われたか否かを判別し、ステップＳ１５９では上
述のステップＳ７７で発行された応答要求が通信Ｉ／Ｆ６４によって受信されたか否かを
判別する。なお、非接続操作は、後述するステップＳ１９３の処理によってＬＣＤモニタ
７２に表示される１または２以上のライブ画像のいずれか１つを指定して実行される。
【０１１２】
ステップＳ１５１の判別結果がＹＥＳであればステップＳ１５３に進み、非接続操作に
よって指定されたライブ画像の送信元に相当するディジタルカメラ１０を指定する。ステ
ップＳ１５５では、指定されたディジタルカメラ１０のカメラＩＤと自己のフォンＩＤと
が記述された非接続要求を通信Ｉ／Ｆ６４を通して送信する。ステップＳ１５７では指定
されたディジタルカメラ１０のカメラＩＤを接続レジスタＲＧＳＴｃから削除し、削除が
完了するとステップＳ１４９に戻る。
【０１１３】
ステップＳ１５９の判別結果がＹＥＳであれば、応答要求に記述されたカメラＩＤをス
テップＳ１６１で検出する。ステップＳ１６３では検出されたカメラＩＤと同じカメラＩ
Ｄが接続レジスタＲＧＳＴｃに登録されているか否かを判別し、判別結果がＮＯであれば
ステップＳ１４９に戻る一方、判別結果がＹＥＳであればステップＳ１６５に進む。ステ
ップＳ１６５では、自己のフォンＩＤと要求元のカメラＩＤとが記述されたＡＣＫを通信
Ｉ／Ｆ６４を通して送信する。送信が完了すると、ステップＳ１４９に戻る。
【０１１４】
図２１を参照して、ステップＳ１７１では少なくとも１つのカメラＩＤが接続レジスタ
ＲＧＳＴｃに登録されているか否かを判別し、判別結果がＮＯからＹＥＳに更新されると
ステップＳ１７３に進む。接続レジスタＲＧＳＴｃに登録された１または２以上のディジ
タルカメラ１０は、上述のステップＳ８３の処理によってライブ画像データの送信を開始
する。また、送信されるライブ画像データには、送信元のカメラＩＤが記述される。ステ
ップＳ１７３では、こうして送信されたライブ画像データ（接続レジスタＲＧＳＴｃに記
述されたカメラＩＤと一致するカメラＩＤが埋め込まれたライブ画像データ）の受信を開
始するべく、対応する命令を通信Ｉ／Ｆ６４に与える。
【０１１５】
ステップＳ１７５では、通信Ｉ／Ｆ６４によって受信されたライブ画像データの受信強
度（厳密にはライブ画像データに相当する電波の強度）を送信元毎（＝カメラＩＤ毎）に
測定する。ステップＳ１７７では、受信されたライブ画像データの配置を送信元毎（＝カ
メラＩＤ毎）に決定する。決定された配置によれば、ライブ画像データは、ステップＳ１
７５で測定された受信強度が大きい順に並ぶ。
【０１１６】
通信Ｉ／Ｆ６４によって受信されたライブ画像データは、メモリ制御回路６６に与えら
れる。メモリ制御回路６６は、与えられたライブ画像データをステップＳ１７７で決定さ
れた配置を参照してＳＤＲＡＭ６８に書き込む。
【０１１７】
ステップＳ１７９では確認周期（＝３秒）が到来したか否かを判別し、判別結果がＮＯ
であればステップＳ１７５に戻る一方、判別結果がＹＥＳであればステップＳ１８１に進
む。ステップＳ１８１では受信強度が基準以下のライブ画像データ（＝受信不能なライブ
画像データ）を送信するディジタルカメラ１０をステップＳ１７５の測定結果に基づいて
検出し、ステップＳ１８３では検出されたディジタルカメラ１０のカメラＩＤを接続レジ
スタＲＧＳＴｃから削除する。通信Ｉ／Ｆ６４によるライブ画像データの受信態様は、削
除処理の後の接続レジスタＲＧＳＴｓの記述を反映する。ステップＳ１８５では接続レジ
スタＲＧＳＴｃに登録されたカメラＩＤの数が“０”であるか否かを判別し、判別結果が
ＮＯであればステップＳ１７５に戻る一方、判別結果がＹＥＳであればステップＳ１８７
に進む。ステップＳ１８７ではライブ画像データの受信の停止を通信Ｉ／Ｆ６４に命令し
、その後にステップＳ１７１に戻る。
【０１１８】
図２２を参照して、ステップＳ１９１ではステップＳ１７３の処理によってライブ画像
データの受信が開始されたか否かを判別し、判別結果がＮＯからＹＥＳに更新されるとス
テップＳ１９３に進む。ステップＳ１９３では、ライブ画像の表示を開始するべく、対応
する命令をＬＣＤドライバ７０に与える。ＬＣＤドライバ７０は、ＳＤＲＡＭ６８に格納
されたライブ画像データをメモリ制御回路６６を通して読み出し、読み出されたライブ画
像データに基づいてＬＣＤモニタ７２を駆動する。この結果、１または２以上のライブ画
像が受信強度に従う順序でモニタ画面に表示される。
【０１１９】
ステップＳ１９５では、モニタ画面に表示されたいずれかのライブ画像を選択する画像
選択操作が行われたか否かを判別する。判別結果がＮＯであればステップＳ２０３に進み
、判別結果がＹＥＳであればステップＳ１９７に進む。ステップＳ１９７では、選択され
たライブ画像の拡大表示をＬＣＤドライバ７０に命令する。ＬＣＤドライバ７０は命令に
従う処理を実行し、この結果、選択されたライブ画像が拡大される。
【０１２０】
ステップＳ１９９では選択解除操作が行われたか否かを判別し、判別結果がＮＯであれ
ばそのままステップＳ２０３に進む一方、判別結果がＹＥＳであればステップＳ２０１で
拡大表示の終了をＬＣＤドライバ７０に命令する。ステップＳ２０１の処理の結果、拡大
されたライブ画像のサイズが元のサイズに戻される。ステップＳ２０１の処理が完了する
と、ステップＳ２０３に進む。
【０１２１】
ステップＳ２０３では、ステップＳ１８７の処理によってライブ画像データの受信が停
止されたか否かを判別する。判別結果がＮＯからＹＥＳに更新されると、ライブ画像の表
示の停止をステップＳ２０５でＬＣＤドライバ７０に命令し、その後にステップＳ１９１
に戻る。
【０１２２】
図２３を参照して、ステップＳ２１１では、ステップＳ１９３の処理によってライブ画
像の表示が開始されたか否かを判別する。判別結果がＮＯからＹＥＳに更新されると、撮
像操作が行われたか否かをステップＳ２１３で判別し、ズーム操作が行われたか否かをス
テップＳ２１５で判別する。ここで、撮像操作は、所望のライブ画像を２回連続してタッ
チする操作に相当する。また、ズーム操作は、所望のライブ画像のピンチインまたはピン
チアウトする操作に相当する。
【０１２３】
ステップＳ２１５の判別結果がＮＯからＹＥＳに更新されるとステップＳ２１７に進み
、所望のライブ画像の送信元に対してズーム指示を発行する。ズーム指示は通信Ｉ／Ｆ６
４を通して発行される。また、発行されるズーム指示には、ピンチイン操作またはピンチ
アウト操作に対応するズーム倍率情報と発行先のカメラＩＤと自己のフォンＩＤとが記述
される。ステップＳ２１７の処理が完了すると、ステップＳ２１１に戻る。
【０１２４】
ステップＳ２１３の判別結果がＹＥＳであれば、所望のライブ画像の送信元に対して撮
像指示を発行する。撮像指示は通信Ｉ／Ｆ６４を通して発行され、発行される撮像指示に
は発行先のカメラＩＤと自己のフォンＩＤとが記述される。ステップＳ２２１では所望の
ライブ画像の表示を中断するべく、ＬＣＤドライバ７０に対応する命令を与える。
【０１２５】
ステップＳ２２３では撮像指示の発行先からの静止画像データが通信Ｉ／Ｆ６４によっ
て受信されたか否かを判別する。判別結果がＹＥＳであればステップＳ２２５に進み、受
信された静止画像データの記録処理をメモリＩ／Ｆ７４に命令する。受信された静止画像
データは、メモリＩ／Ｆ７４によってファイル形式でフラッシュメモリ７４に記録される
。記録が完了するとステップＳ２２７に進む。ステップＳ２２７では、ステップＳ２２１
の処理によって中断されたライブ画像の表示を再開するべく、対応する命令をＬＣＤドラ
イバ７０に与える。ステップＳ２２７の処理が完了すると、ステップＳ２１１に戻る。
【０１２６】
以上の説明から分かるように、ディジタルカメラ１０において、撮像装置１８は、撮像
面で捉えられた光学像に対応する生画像データを出力し、カメラ処理回路２２は出力され
た生画像データに基づいてライブ画像データを作成する。カメラＣＰＵ３２は、通信Ｉ／
Ｆ４２を利用して複数のスマートフォン５０，５０，…と無線でアドホックに接続し(S51
~S57)、接続された複数のスマートフォン５０，５０，…の各々の性能を検出する(S59)。
カメラＣＰＵ３２はまた、ライブ画像データの品質を検出された複数の性能に応じて異な
る単一の品質に調整し(S85~S87)、調整された品質を有するライブ画像データを複数のス
マートフォン５０，５０，…にブロードキャスト方式で転送する(S83)。これによって、
ライブ画像データの転送に掛かる負荷を適応的に調整することができ、画像転送性能の向
上が図られる。
【０１２７】
また、スマートフォン５０において、スマートフォンＣＰＵ６０は、複数のディジタル
カメラ１０，１０，…の各々から出力されたライブ画像データを通信Ｉ／Ｆ６４を通して
受信し(S173)、受信されたライブ画像データに基づく複数のライブ画像をＬＣＤモニタ７
２に表示する(S193)。スマートフォンＣＰＵ６０はまた、通信Ｉ／Ｆ６４によって受信さ
れる電波の強度をディジタルカメラ１０毎に測定し(S175)、ＬＣＤモニタ７２に表示され
る複数のライブ画像の配置を測定された強度に基づいて制御する(S177)。これによって、
ライブ画像の表示性能が向上する。
【０１２８】
なお、図１５に示すステップＳ７５〜Ｓ７９およびＳ６９の処理によれば、通信環境の
一時的な劣化によってディジタルカメラ１０とスマートフォン５０との通信が不良となっ
た場合に、フォンＩＤがレジスタＲＧＳＴ１から削除されてしまう。このような事態は、
応答要求を繰り返し発行し、いずれの応答要求に対してもＡＣＫが返送されないときにフ
ォンＩＤをレジスタＲＧＳＴ１から削除するようにすることで回避できる。
【０１２９】
また、この実施例のカメラシステムは、以下のように変形することができる。
［変形例１］
【０１３０】
複数のディジタルカメラ１０，１０，…は観光地に設置され、スマートフォン５０はこ
の観光地を訪れた旅行者によって携帯される。各ディジタルカメラ１０には、ＬＥＤが設
けられる。また、スマートフォン５０のＬＣＤモニタ７２には、接続可能なディジタルカ
メラ１０を各々が識別する１または２以上のカメラＩＤが接続前の段階で表示される。表
示されたいずれかのカメラＩＤが旅行者の操作によって選択されると、選択されたカメラ
ＩＤに対応するディジタルカメラ１０のＬＥＤが発光する。接続したいディジタルカメラ
１０を接続前に確認することができ、操作性が向上する。
［変形例２］
【０１３１】
複数のディジタルカメラ１０，１０，…は、互いに異なる仕様（撮像モード，ライブ画
像データのフレームレート，静止画像データの解像度，光学ズーム倍率，電子ズームの可
否，ＩＳＯ感度，白バランスの種類，手ぶれ機能の可否）を有して、スマートフォン１０
に接続可能な状態で存在する。スマートフォン５０に接続された当初、各々のディジタル
カメラ１０は自己の仕様情報をスマートフォン５０に送信する。スマートフォン５０は、
接続された複数のディジタルカメラ１０，１０，…のいずれもが設定可能な最高品質の設
定を特定し、特定した設定の選択を複数のディジタルカメラ１０，１０，…に要求する。
これによって、複数のディジタルカメラ１０，１０，…から共通かつ高品質のライブ画像
データを受信することができる。
［変形例３］
【０１３２】
単一のディジタルカメラ１０には、複数のスマートフォン５０，５０，…が接続される
。また、ディジタルカメラ１０には、ＬＥＤが設けられる。ＬＥＤの発光態様（＝点滅周
期および／または発光色）は、ディジタルカメラ１０に接続されたスマートフォン５０，
５０…の数に応じて異なるように調整される。ＬＥＤの発光態様を手掛かりとして、スマ
ートフォン５０の接続状況（＝混雑度）を把握することができる。
［変形例４］
【０１３３】
ディジタルカメラ１０と接続されたスマートフォン５０に向けて撮像操作が行われると
、操作時点の時刻情報，位置情報および高度情報がスマートフォン５０によって検出され
る。検出された時刻情報，位置情報および高度情報は、撮像操作に応答して発行される撮
像指示に記述される。撮像指示を受信したディジタルカメラ１０は、撮像指示に記述され
た時刻情報，位置情報および高度情報を撮像指示に応答して作成された静止画像データに
割り当てる。時計回路，ＧＰＳ装置，高度計をディジタルカメラ１０に設ける必要がなく
なる。
【０１３４】
また、撮像操作が行われた時点のスマートフォン５０の方位や撮影場所の天気などの撮
影環境情報をスマートフォン５０の機能を利用して検出し、検出された撮影環境情報を撮
像指示に記述してもよい。この場合、静止画像データには、こうして記述された撮影環境
情報も追加的に割り当てられる。
［変形例５］
【０１３５】
ディジタルカメラ１０には、ローカル時刻を測定する時計回路が設けられる。シャッタ
ボタン３４ｓｈの操作に応答して作成された静止画像データには、時計回路によって測定
されたローカル時刻が割り当てられる。ディジタルカメラ１０がスマートフォン５０と接
続されると、スマートフォン５０によって検出された標準時刻がディジタルカメラ１０に
通知される。ディジタルカメラ１０は、通知された時点のローカル時刻と通知された標準
時刻との差分を算出し、静止画像データに割り当てられたローカル時刻を算出された差分
に基づいて修正する。これによって、静止画像データには標準時刻が割り当てられる。
［変形例６］
【０１３６】
スマートフォン１０は、光学系の仕様（絞りの設定範囲，合焦調整範囲，ズーム倍率の
可変範囲）が互いに異なる複数のディジタルカメラ１０，１０，…と接続される。各々の
ディジタルカメラ１０は、光学系の仕様と光学設定（絞り量，フォーカスステップ数およ
びズームステップ数）とをスマートフォン１０に通知する。光学設定の通知は、光学設定
が変更される毎に実行される。スマートフォン１０は、通知された仕様および光学設定を
、カメラ間で比較可能な態様でＬＣＤモニタ７２に表示する。接続されたディジタルカメ
ラ１０の光学設定を調整するときの操作性が向上する。なお、絞りについては、より好ま
しくは、絞り羽根の数や絞りの形状などの絞り機構の構造が、光学系の仕様の一部として
スマートフォン５０に追加的に通知される。
［変形例７］
【０１３７】
スマートフォン５０上でのズーム操作として、ＬＣＤモニタ７２に表示されたライブ画
像上で所望の矩形枠をタッチ操作によって定義する操作を想定する。タッチ操作によって
定義された矩形枠に歪みがある場合、この歪みを補正して正確な矩形枠を定義する。ディ
ジタルカメラ１０に対して発行されるズーム指示には、こうして定義された矩形枠に属す
る一部のライブ画像を拡大するためのズーム倍率情報が記述される。これによって、ズー
ムに関する操作性が向上する。
［変形例８］
【０１３８】
単一のディジタルカメラ１０に複数のスマートフォン５０，５０，…が接続されること
を想定する。ディジタルカメラ１０は、接続された各々のスマートフォン５０に対して接
続順に従う識別番号を割り当てる。ディジタルカメラ１０から各々のスマートフォン５０
に転送されるライブ画像データには、転送先のスマートフォン５０に割り当てられた識別
番号が付加される。スマートフォン５０のＬＣＤモニタ７２に表示されるライブ画像には
、こうして付加された識別番号に応じて異なる色を有する外枠キャラクタが多重される。
［変形例９］
【０１３９】
複数のディジタルカメラ１０からそれぞれ送信された複数のライブ画像をＬＣＤモニタ
７２に表示することを想定して、いずれかのライブ画像がタッチされると、タッチされた
ライブ画像の表示が中断される。他のライブ画像は、中断によって確保されたスペースを
利用して拡大される。これによって、ライブ画像の通信に掛かる負荷の抑制と、ＬＣＤモ
ニタ７２の有効活用が図られる。
［変形例１０］
【０１４０】
単一のディジタルカメラ１０に複数のスマートフォン５０，５０，…が接続されること
を想定する。各々のスマートフォン５０は、ディジタルカメラ１０の撮像条件（白バラン
ス，画像仕上げ，画像サイズなど）をディジタルカメラ１０に通知する。
【０１４１】
ディジタルカメラ１０は、通知された撮像条件をスマートフォン５０毎に管理する。た
とえば、或るスマートフォン５０については、白バランス：オート／画像仕上げ：鮮やか
／圧縮画像サイズ：１６Ｍバイトとし、他のスマートフォン５０については、白バランス
：太陽光／画像仕上げ：風景／圧縮画像サイズ：２Ｍバイトとするような管理が考えられ
る。いずれかのスマートフォン５０から撮像指示が発行されると、ディジタルカメラ１０
は、発行元のスマートフォン５０から通知された撮像条件に従う品質の静止画像データを
取得する。これによって、静止画像データの品質を適応的に調整することができる。
［変形例１１］
【０１４２】
ディジタルカメラ１０がスマートフォン５０と接続されると、ディジタルカメラ１０の
バッテリの消費量が非接続時と比較して増大する。これを踏まえて、ディジタルカメラ１
０は、バッテリ残量を接続先のスマートフォン５０に周期的に送信し、さらにバッテリ残
量が基準を下回ったときにスマートフォン５０との接続を解除する。なお、充電によって
バッテリの残量が増大すると、ディジタルカメラ１０は、スマートフォン５０との接続を
試みたり、スマートフォン５０からの接続要求を受け付ける。一方、ディジタルカメラ１
０と接続されたスマートフォン５０は、ディジタルカメラ１０から送信されたバッテリ残
量をＬＣＤモニタ７２に表示し、バッテリ残量に応じてディジタルカメラ１０との接続の
解除をスマートフォン５０の操作者に促す。
［変形例１２］
【０１４３】
ディジタルカメラ１０の周辺での異常の検知（アラーム機器からのアラームの入力，デ
ィジタルカメラ１０の視野における動きの検出，周辺の音声の変化，不審者や動物などの
特定被写体の検出）に応答して、或いは時間帯に応じて、ディジタルカメラ１０からスマ
ートフォン５０に転送されるライブ画像データの品質（フレームレートや解像度）を調整
する。ライブ画像の品質を適応的に制御することができる。
［変形例１３］
【０１４４】
複数のディジタルカメラ１０からそれぞれ送信された複数のライブ画像を単一のスマー
トフォン５０のＬＣＤモニタ７２にマルチ表示することを想定する。表示された少なくと
も２つのライブ画像に対するタッチ操作またはピンチイン／アウト操作が同時に行われた
ときに、操作された少なくとも２つのライブ画像の送信元に撮像指示またはズーム指示を
同時に発行する。これによって、操作性が向上する。
［変形例１４］
【０１４５】
ディジタルカメラ１０から送信されたライブ画像をスマートフォン５０のＬＣＤモニタ
７２に表示し、表示されたライブ画像上で撮像操作を２段階で受け付けることを想定する
。ここで、第１段階の操作は厳格ＡＥ処理およびＡＦ処理の実行を指示するための操作に
相当し、第２段階の操作は静止画取り込み処理の実行を指示するための操作に相当する。
【０１４６】
ディジタルカメラ１０は、１段階目の操作に応答した指示を受け付けたときにライブ画
像データの品質（フレームレートや解像度）を高め、静止画像データの取得が完了した後
にライブ画像データの品質を元に戻す。これによって、第１段階の操作から第２段階の操
作までの期間において被写体の視認性が向上する。
［変形例１５］
【０１４７】
１または２以上のスマートフォン５０がディジタルカメラ１０と接続されることを想定
する。このとき、接続可能なスマートフォン５０は、ディジタルカメラ１０の視野に収ま
っているユーザのスマートフォン５０に限定する。これによって、ディジタルカメラ１０
の操作を一部のユーザにのみ開放することができる。限定は、以下の方法で行う。
（方法１）
手順１：スマートフォン５０は、ユーザの顔画像を登録する。
手順２：スマートフォン５０は、登録された顔画像をディジタルカメラ１０に送信される
接続要求に付加する。
手順３：ディジタルカメラ１０は、接続要求に付加された顔画像に符合する顔部を視野か
ら探索し、符合する顔部が探知されたときに要求元のスマートフォン５０との接続を確立
する。
（方法２）
手順１：スマートフォン１０はディジタルカメラ５０に対して接続要求を発行する。
手順２：ディジタルカメラ１０は、ＱＲコード(登録商標)または発光パターンコードのような認証コードをスマートフォン５０に送信する。
手順３：スマートフォン５０は、受信した認証コードを出力する。認証コードがＱＲコー
ド(登録商標)であれば、ＱＲコード(登録商標)画像がＬＣＤモニタ７２に表示される。認証コードが発光パターンコードであれば、特定の発光パターンでＬＥＤを点滅させる。
手順４：ディジタルカメラ１０は、認証コードが視野から検出されたとき（ＱＲコード(登録商標)画像または特定の発光パターンが視野に現れたとき）、スマートフォン５０との接続を確立する。
［変形例１６］
【０１４８】
複数のディジタルカメラ１０，１０，…が単一のスマートフォン５０と接続されること
を想定する。スマートフォン５０上で一括ズームイン操作または一括ズームアウト操作が
継続的に行われると、スマートフォン５０は、各ディジタルカメラ１０に対してズームイ
ン指示またはズームアウト指示を継続的に発行する。
【０１４９】
ただし、一括ズームイン操作または一括ズームアウト操作を受け付ける前の時点におい
て、ズーム倍率がカメラ間で相違する場合がある（たとえば、或るディジタルカメラ１０
のズーム倍率は３．０倍に設定され、他のディジタルカメラ１０のズーム倍率は２．０倍
に設定されている場合）。これを踏まえて、ズームイン指示またはズームアウト指示は、
以下の要領で発行される。
【０１５０】
受け付けた操作が一括ズームイン操作であれば、ズームイン指示は、ズーム倍率が低い
値に設定されたディジタルカメラ１０に対して先行的に発行される。また、受け付けた操
作が一括ズームアウト操作であれば、ズームアウト指示は、ズーム倍率が高い値に設定さ
れたディジタルカメラ１０に対して先行的に発行される。これによって、ズーム倍率の相
違が解消されると、ズームイン指示またはズームアウト指示が全てのディジタルカメラ１
０に対して同時に発行される。
【０１５１】
なお、ズーム仕様がカメラ間で相違する場合には、単位時間あたりのズーム倍率の変動
量がカメラ間で一致するように、ズームイン指示またはズームアウト指示の発行周期が調
整される。
［変形例１７］
【０１５２】
複数のスマートフォン５０，５０，…がディジタルカメラ１０に接続される。ディジタ
ルカメラ１０は、いずれかのスマートフォン５０から発行された撮像指示に応答して、静
止画像データを取得し、さらに取得された静止画像データに基づいてスクリーンネイル画
像データを作成する。このとき、ディジタルカメラ１０は、撮像指示を発行したスマート
フォン５０の仕様を参照してスクリーンネイル画像データの解像度を調整する。この結果
、スクリーンネイル画像データの解像度は、スマートフォン５０に設けられたＬＣＤモニ
タ７２の解像度が高いほど高くなり、スマートフォン５０に設けられたＬＣＤモニタ７２
の解像度が低いほど低くなる。
【０１５３】
なお、ライブ画像データを各スマートフォン５０にユニキャスト方式で送信し、送信さ
れるライブ画像データの解像度を送信先のスマートフォン５０の仕様に応じて調整するよ
うにしてもよい。
［変形例１８］
【０１５４】
複数のスマートフォン５０，５０，…がディジタルカメラ１０に接続される。いずれか
のスマートフォン５０からディジタルカメラ１０に対して撮像指示が与えられたとき、デ
ィジタルカメラ１０は、その後の既定時間（＝たとえば１秒）だけ他のスマートフォン５
０からの撮像指示も受け付ける。ディジタルカメラ１０は、最初の撮像指示に応答して取
得した静止画像データを、最初の撮像指示を発行したスマートフォン５０に加えて、その
後の既定時間に撮像指示を発行した他のスマートフォン５０にも送信する。
［変形例１９］
【０１５５】
ディジタルカメラ１０に設定される撮像モードとして、マニュアルモードおよびオート
モードが準備される。マニュアルモードはスマートフォン５０上でのユーザ操作に従って
撮像条件を調整するモードに相当し、オートモードは撮像条件を一律に調整するモードに
相当する。単一のスマートフォン５０がディジタルカメラ１０に接続されたとき、ディジ
タルカメラ１０は、マニュアルモードおよびオートモードの間での撮像モードの切り換え
をスマートフォン５０に対して許可する。これに対して、複数のスマートフォン５０，５
０，…がディジタルカメラ１０に接続されたとき、ディジタルカメラ１０は、撮像モード
の切り換えを禁止し、オートモードを固定的に選択する。
［変形例２０］
【０１５６】
複数のディジタルカメラ１０が共通のシーンを捉えるか、或いは単一のディジタルカメ
ラ１０とカメラ機能を有するスマートフォン５０とが共通のシーンを捉えることを想定す
る。このとき、共通のシーンを捉えるディジタルカメラ１０および／またはスマートフォ
ン５０の間で、解像度などの撮像設定が調整される。共通のシーンを表す３次元画像デー
タは、このような調整処理の後にディジタルカメラ１０および／またはスマートフォン５
０から出力された画像データに基づいて作成される。
［変形例２１］
【０１５７】
複数のディジタルカメラ１０が観光地に設置され、スマートフォン５０が観光地を訪れ
た旅行者によって携帯される。スマートフォン５０が少なくとも１つのディジタルカメラ
１０に接続されると、各々のディジタルカメラ１０は、最適なタイミングおよび／または
画角で撮影を行い、これによって取得された静止画像データを旅行者のスマートフォン５
０に送信する。最適なタイミングおよび／または画角としては、旅行者が捉えられるタイ
ミングおよび／または画角も含まれる。
［変形例２２］
【０１５８】
単一のディジタルカメラ１０および単一のスマートフォン５０が互いに接続される。デ
ィジタルカメラ１０のシャッタボタン３４ｓｈが操作されると同時にスマートフォン５０
上で撮像操作が行われた場合、ディジタルカメラ１０が動いている（誰かがディジタルカ
メラ１０を手に持っている）ことを条件として、シャッタボタン３４ｓｈの操作が優先的
に受け付けられる。ディジタルカメラ１０からスマートフォン５０へは、撮像操作が禁止
ないし制限されたことが通知される。
［変形例２３］
【０１５９】
単一のディジタルカメラ１０と複数のスマートフォン５０，５０，…の各々とが互いに
接続される。或るスマートフォン５０から発行される撮像指示には、所望のＵＲＬないし
アドレスが送信先情報として記述される。この撮像指示に応答してディジタルカメラ１０
で取得された静止画像データは、ディジタルカメラ１０と接続された複数のスマートフォ
ン５０，５０，…のいずれか１つ或いは他の通信機器を中継して、撮像指示に記述された
所望のＵＲＬないしアドレスに送信される。
【０１６０】
より好ましくは、撮像指示には、中継すべきスマートフォン５０または通信機器が中継
機器情報として記述される。撮像指示に応答してディジタルカメラ１０で取得された静止
画像データは、撮像指示に記述された中継機器を経由して、所望のＵＲＬないしアドレス
に送信される。
【符号の説明】
【０１６１】
１０  …ディジタルカメラ
１８  …撮像装置
２２  …カメラ処理回路
３０，７２  …ＬＣＤモニタ
３２  …カメラＣＰＵ
３８，７６  …記録媒体
４０，６２  …フラッシュメモリ
４２，６４  …通信Ｉ／Ｆ
５０  …スマートフォン
６０  …スマートフォンＣＰＵ
【図１】
2013093842.tif 000003
【図２】
2013093842.tif 000004
【図３】
2013093842.tif 000005
【図４】
2013093842.tif 000006
【図５】
2013093842.tif 000007
【図６】
2013093842.tif 000008
【図７】
2013093842.tif 000009
【図８】
2013093842.tif 000010
【図９】
2013093842.tif 000011
【図１０】
2013093842.tif 000012
【図１１】
2013093842.tif 000013
【図１２】
2013093842.tif 000014
【図１３】
2013093842.tif 000015
【図１４】
2013093842.tif 000016
【図１５】
2013093842.tif 000017
【図１６】
2013093842.tif 000018
【図１７】
2013093842.tif 000019
【図１８】
2013093842.tif 000020
【図１９】
2013093842.tif 000021
【図２０】
2013093842.tif 000022
【図２１】
2013093842.tif 000023
【図２２】
2013093842.tif 000024
【図２３】
2013093842.tif 000025